【事件の表示】
　特許第３１２４７５１号「ＩＣカード用コネクタ」の請求項１乃至６に係る特許に対する特許異議の申立てについて、次のとおり決定する。
【結　論】
　訂正を認める。
　特許第３１２４７５１号の請求項１乃至４に係る特許を維持する。
【理　由】
１．手続の経緯
　本件特許第３１２４７５１号（請求項の数６）は、平成１０年５月１４日の出願に係り、平成１２年１０月２７日に設定登録がなされ、その後、全請求項に係る発明について坂本聡及び池野耕司よりそれぞれ特許異議の申立てがなされ、取消しの理由が通知され、その指定期間内である平成１３年１２月７日に訂正請求がなされたものである。
　
２．訂正の適否についての判断
　
（１）訂正の内容
  特許権者は本件特許明細書の記載を訂正明細書のとおりに訂正することを求めており、その具体的内容は以下の通りのものと認める。
Ａ．【特許請求の範囲】の【請求項１】における、
「接触条片を有するＩＣカード用コネクタにおいて」を、
「接触条片を有
し、更に上記ベースの前方に設けられたＩＣカードの前辺と対向する前部規制壁と上記ベース間にベース下方へ開放せるコンタクトピン変位スペースを設け、上記接触条片の自由端に設けた接点部がＩＣカードの電極パッドと加圧接触した時に同接点部を上記接触条片の弾力に抗し上記ベース下方へ開放されたコンタクトピン変位スペース内へ変位せしめる
「上記各コンタクトピンの接触条片はＩＣカードの前半部下面に配された複数の電極パッドと加圧接触すると共に、上記各コンタクトピンの表面実装端子が上記オープンスペース内域において配線回路基板へ接続される構成である」を、
「上記各コンタクトピンの接触条片
の上記接点部
上記コンタクトピン植設部の前方において
とし、更に上記トッププレートを金属から成る導電プレートにて形成し、該導電プレートは上記オープンスペースを覆わずに上記ベースと接触条片とコンタクトピン変位スペースを覆うように被嵌し、上記接触条片の加圧接触力にて上記ＩＣカードの前半部を押し上げ同前半部上面を上記導電プレートで受け止める構成とした
Ｂ．【特許請求の範囲】の【請求項４】及び【請求項５】を削除する。
Ｃ．【特許請求の範囲】の【請求項６】における、
「請求項１又は２又は３又は４又は５記載のＩＣカード用コネクタ」を、
「請求項１又は２又は
３記
Ｄ．明細書の段落【０００６】【課題を解決するための手段】における、
「このＩＣカード用コネクタは小形の略方形のベースを有し」を、
「このＩＣカード用コネクタは
トッププレートにて覆われた
Ｅ．明細書の段落【００１３】における、
「又上記隔壁の前端面に隣接してコンタクトピン変位スペースを形成し、」を、
「又上記隔壁の前端面に隣接してコンタクトピン変位スペースを形成し、
即ち上記ベースの前方に設けられたＩＣカードの前辺と対向する前部規制壁と上記ベース間にコンタクトピン変位スペースを設け、
Ｆ．明細書の段落【００１４】における、
「変位可能にする。これにより」を、
「変位可能にする。
他方上記トッププレートを金属から成る導電プレートにて形成し、該導電プレートは上記オープンスペースを覆わずに上記ベースと接触条片とコンタクトピン変位スペースを覆うように被嵌し、上記接触条片の加圧接触力にて上記ＩＣカードの前半部を押し上げ同前半部上面を上記導電プレートで受け止める構成とする。
　
（２）訂正の目的の適否、新規事項の有無及び拡張・変更の存否
　訂正事項Ａは、ベースについて、特許明細書の【特許請求の範囲】の【請求項３】及び【請求項４】、段落【００２０】、【００２１】、【００３８】、【００４８】、【００４９】及び【００５２】に記載された事項に基いて限定したものであるから、特許請求の範囲の減縮を目的とした明細書の訂正に該当し、新規事項の追加に該当しない。
　訂正事項Ｂは、請求項の削除であり、特許請求の範囲の減縮を目的とした明細書の訂正に該当し、新規事項の追加に該当しない。
　訂正事項Ｃは、訂正事項Ｂによる請求項の削除に伴い、請求項の項番を繰り上げ、引用項番から削除した請求項の項番を削除したものであるから、明りょうでない記載の釈明を目的とした明細書の訂正に該当し、新規事項の追加に該当しない。
　訂正事項Ｄ、Ｅ及びＦは、訂正事項Ａの訂正に伴い、対応する明細書の記載を、特許請求の範囲の記載に整合させるものであるから、明りょうでない記載の釈明を目的とした明細書の訂正に該当し、新規事項の追加に該当しない。
　そして、上記いずれの訂正事項も、搭載スペースを有効に確保し得るＩＣカード用コネクタの提供という課題に変更を及ぼすものでもないから、実質上特許請求の範囲を拡張し、又は変更するものではない。
　
（３）訂正の適否についての結論
　したがって、上記の訂正は、特許法第１２０条の４第２項及び同条第３項で準用する特許法第１２６条第２項及び第３項の規定に適合するので、当該訂正を認める。
　
３．特許異議の申立てについての判断
　
（１）異議の申立ての理由の概要
　異議申立人・坂本聡は、甲第１号証［特開平９−７３９４９号公報（以下、「刊行物ａ」という。）］及び甲第２号証［実開平７−２７０５９号公報（以下、「刊行物ｂ」という。）］を提出すると共に、本件の訂正前の請求項１乃至６に係る発明は、刊行物ａ及びｂに記載された発明に基づいて当業者が容易に発明をすることができたものであるとし、また、異議申立人・池野耕司は、甲第１号証［特開平１０−１１２３５０号公報（以下、「刊行物ｃ」という。）］、甲第２号証［特開平１０−１０６６７４号公報（以下、「刊行物ｄ」という。）］、甲第３号証［実用新案登録第３０１９４４８号公報（以下、「刊行物ｅ」という。）］及び甲第４号証［特開平１０−７４５６８号公報（以下、「刊行物ｆ」という。）］を提出すると共に、本件の訂正前の請求項１乃至６に係る発明は、刊行物ｃ乃至ｆに記載された発明に基づいて当業者が容易に発明をすることができたものであるとして、その特許は特許法第２９条第２項の規定に違反してなされたものであり同法第１１３条第２項の規定により取り消されるべきである旨、それぞれ主張している。
　
（２）本件発明
　上記の訂正が認められたので、本件請求項１乃至４に係る発明（以下、「本件発明１乃至４」という。）は、訂正された特許請求の範囲の請求項１乃至４に記載された以下の事項により特定されるものである。
「【請求項１】トッププレートにて覆われたベースの後辺の両端から後方へ向け互いに間隔を置いてＩＣカードの挿入を案内する一対のガイドアームを並行に延出し、該両ガイドアーム間に上下に開放せるオープンスペースを形成し、該オープンスペースを画成するベース後辺に沿いコンタクトピン植設部をベースと一体に設け、該コンタクトピン植設部には複数のコンタクトピンがＩＣカード挿入方向と直交する方向に並列するように植設されており、各コンタクトピンは上記コンタクトピン植設部から前方へ延びる上下に弾性変位可能な接触条片を有し、更に上記ベースの前方に設けられたＩＣカードの前辺と対向する前部規制壁と上記ベース間にベース下方へ開放せるコンタクトピン変位スペースを設け、上記接触条片の自由端に設けた接点部がＩＣカードの電極パッドと加圧接触した時に同接点部を上記接触条片の弾力に抗し上記ベース下方へ開放されたコンタクトピン変位スペース内へ変位せしめるＩＣカード用コネクタにおいて、上記コンタクトピン植設部から後方へ突出されてベースの後辺に沿い並置されつつ上記上下に開放せるオープンスペース内に並置される表面実装用端子を有し、上記ＩＣカードは上記両ガイドアームを案内として同カード前半部が上記ベース上に挿入されると同時に、同カード後半部が上記両ガイドアーム間のオープンスペース内に挿入され、上記各コンタクトピンの接触条片の上記接点部は上記コンタクトピン植設部の前方においてＩＣカードの前半部下面に配された複数の電極パッドと加圧接触すると共に、上記各コンタクトピンの表面実装端子が上記オープンスペース内域において配線回路基板へ接続される構成とし、更に上記トッププレートを金属から成る導電プレートにて形成し、該導電プレートは上記オープンスペースを覆わずに上記ベースと接触条片とコンタクトピン変位スペースを覆うように被嵌し、上記接触条片の加圧接触力にて上記ＩＣカードの前半部を押し上げ同前半部上面を上記導電プレートで受け止める構成としたことを特徴とするＩＣカード用コネクタ。
　【請求項２】上記コンタクトピン植設部の前端に各コンタクトピンの接触条片間を隔絶する隔壁をベースと一体に連設し、上記コンタクトピン植設部又は／及び隔壁の上面にてＩＣカードの挿入を案内するランド面を形成していることを特徴とする請求項１記載のＩＣカード用コネクタ。
　【請求項３】上記コンタクトピンの接触条片の自由端（前端）が上記隔壁の前端面より前方へ突出し且つ隔壁上面より上方へ突出し、該突出部にてＩＣカードの電極パッドとの接触に供される接点部を形成していることを特徴とする請求項２記載のＩＣカード用コネクタ。
　【請求項４】上記接触条片の長手に亘り両端を閉鎖端としたスリットを形成し、該スリットの一端を含む位置に接触条片の弾性変位支点を設定したことを特徴とする請求項１又は２又は３記載のＩＣカード用コネクタ。」
　
（３）証拠の開示事項
　
Ａ）上記刊行物ａ（当審が取消しの理由に引用した刊行物１）には、図面とともに、以下の事項が記載されている。
・「本発明はエッジコネクタに関し、特に、コネクタの接続相手側たるＩＣカードや回路基板など（以下「相手側基板」という）の板厚方向に、複数のスロットが平行に配置されており、各スロットに対応するイジェクトボタンの操作により、夫々のスロット内に装填された基板等を強制排出することのできるエッジコネクタに関するものである。」（【０００１】【発明の属する技術分野】）
・「本実施の形態におけるエッジコネクタ１は、インシュレータ基部１０と、該インシュレータ基部１０の両端側から平行に延在する側部１１，１３を有する。」（【００１０】）
・「インシュレータ基部１０には、長手方向に上下２列の相手側基板Ｂ１，Ｂ２を受容するスロット１５，１７が形成されている。」（【００１１】）
・「これらのスロット１５，１７の奥壁部には、相手側基板Ｂ１，Ｂ２の端子と導通接続するコンタクト２１，２３，２５，２７が取付けられている。（【００１２】）
・「側部１１，１３には、上記スロット１５，１７に相手側基板Ｂ１，Ｂ２を導くための案内溝３１，３５と、相手側基板Ｂ１，Ｂ２を固定保持するための係止部材３３，３７が設けられている。」（【００１３】）
・図面には、インシュレータ基部１０の両端から相手側基板の挿入側に向け互いに間隔を置いて一体的に延在する側部１１、１３間に上下に開放せるオープンスペースが形成され、インシュレータ基部１０にコンタクト２１、２３、２５、２７が相手側基板の挿入方向と直交する方向に並列するように植設されている態様（【図１】【図４】【図６】【図７】）が示され、特に、【図３】及び【図６】には、コンタクト２１はその相手側基板に下方から接触する端部と反対側の端部が、インシュレータ基部１０の相手側基板挿入側の辺に沿ってオープンスペース内に並置され、各コンタクト２１は上下に弾性変位可能な接触条片を有している態様が、また【図４】には、相手側基板を挿入したときその先端部はインシュレータ基部１０上に、残りの部分がオープンスペース上に位置することが、それぞれ示されている。
　
Ｂ）上記刊行物ｂ（同じく引用した刊行物２）には、「半田結線後に、半田不良箇所を容易に再半田できるサーフェイスマウント電気コネクタ」（【要約】【目的】参照）について、絶縁ハウジング１の前方に、上下二層をなし前方（Ｘ正方向）に開口せる上凹所２と下凹所３が形成され、該上凹所２及び下凹所３の前方開口部は、相手方接続体たる回路基板Ｑ，Ｒをそれぞれ受け入れ（【００１３】）、下凹所３に挿入される接触子１３，１４のうち、接触子１４は接続部１４Ａが後方（Ｘ負方向）にあって、そこから前方に延び、その前方端部に結線部１４Ｂが設けられ（【００１７】）ることなどが記載されている。
　
Ｃ）上記刊行物ｃ（同じく引用した刊行物３）には、ＩＣカードとプリント基板等の電子部品との電気的接続を行うカード用コネクタ（【０００１】【発明の属する技術分野】）に関して、該カード用コネクタが、コンタクト３０と、ベースインシュレータ２０と、カバーインシュレータ１０と、板ばね（付勢部材）４０とを備えている（【００２１】）こと、コンタクト３０は、ベースインシュレータ２０に固定される固定部３０ａと、ＩＣカード５０のランド５１に接触可能な接点部３０ｂと、接点部３０ｂを上方へ付勢するばね部３０ｃと、図示しないプリント基板に接続される端子部３０ｄとで構成されており、上記固定部３０ａ、接点部３０ｂ、ばね部３０ｃ及び端子部３０ｄは一体に形成されている（【００２２】）こと、ベースインシュレータ２０には、カバーインシュレータ１０の平面形状にほぼ対応する開口２１が形成されている（【００２３】）ことなどが記載されている。
　
Ｄ）上記刊行物ｄ（同じく引用した刊行物４）には、電極接点部を有する接片部材が設けられたベースの後端部に横向きに突出する左右一対の軸体に、上記電極接点部に対応する面電極を備えたカードを保持するためのカード保有部を有するカバーの後端部に設けられた左右一対のアーム部の嵌合孔部が嵌合されてなるカードコネクタ（【特許請求の範囲】【請求項１】）に関して、ベースの底壁に横に並んだ弾性を備えた接片部材のそれぞれの先端の電極接点部が底壁から少し浮き上がるように傾斜していると共にそれらの接片部材のそれぞれに配線基板の回路に半田付けされる端子が設けられ、これらの端子がベースの前方あるいは後方へ突き出ていること（【００３１】）、カバーは金属板に曲げ加工や打抜き加工を施して形成されること（【００３５】）が記載され、図１及び２には、端子３２がベース前方左右両側に設けられたリブ状の側壁の間に形成されたオープンスペース内に突き出ており、電極接点部３１側の接片部材に対応するベースの底面に接片部材が侵入可能な空所が形成されている態様が示され、図２及び１１には、ベースにカバーを被嵌したとき、該カバーが上記オープンスペースを覆わずに接片部材と上記空所の部分を覆うことが示されている。
　
Ｅ）上記刊行物ｅには、「平面コ字状のハウジングの中央部分の内部に複数のコンタクトが並列され、この中央部分の内側に長手方向に沿って平板回路基板の接続端縁部を挿入可能とした挿入溝が形成されていると共に、前記各コンタクトに連設したソルダーテールが前記中央部分の挿入溝側側壁を通して前方に導かれていることを特徴とする平板回路基板用ソケット。」（【実用新案登録請求の範囲】【請求項１】）が図面とともに記載されている。
Ｆ）上記刊行物ｆ（同じく引用した刊行物５）には、「接触端子における機器との接触部位にはスリットが形成されてなることを特徴とするコネクタの接触端子。」（【請求項１】）及び「前記接触端子は屈曲させて形成した突出部を有し、前記突出部を前記接触部位としてなることを特徴とする請求項１記載のコネクタの接触端子。」（【請求項２】）が記載され、スリットの実施例として、図１（ａ）には長方形状に抜かれた長穴形状のものが、図２（ａ）には更にそれを屈曲させたものが、それぞれ示されている。
　
（４）対比・判断
　
Ａ）本件発明１について
　本件発明１と上記刊行物ａに記載された発明とを対比する。
　上記刊行物ａに記載されたエッジコネクタ１は、「相手側基板」と称する接続相手としてＩＣカードを例示していることから、本件発明１の「ＩＣカード用コネクタ」を含むものである。
　また、刊行物ａに記載された「コンタクト２１，２３」、「インシュレータ基部１０」、「インシュレータ基部１０の両端側から平行に延在する側部１１，１３」は、本件発明１の「コンタクトピン」、「ベース」、「ベースの後辺の両端から後方へ向け互いに間隔をおいてＩＣカードの挿入を案内する一対のガイドアーム」にそれぞれ相当する。
　さらに、刊行物ａに記載されたエッジコネクタ１は上記「側部１１，１３」の間に上下に開放せるオープンスペースが形成され、上記インシュレータ基部１０にコンタクトが相手側基板の挿入方向と直交する方向に並列するように植設されており、該コンタクトは、その一方が相手側基板に接触し、他方はオープンスペース内に位置し実装端子として、配線回路基板等へ接続されるものと認められ、相手側基板は、その先端部がインシュレータのスロットに挿入されたとき後方の部分が側部１１，１３の間のオープンスペース上に位置するものと認められる。
　してみると、刊行物ａには、本件発明１の構成のうちの「ベースの後辺の両端から後方へ向け互いに間隔を置いてＩＣカードの挿入を案内する一対のガイドアームを並行に延出し、該両ガイドアーム間に上下に開放せるオープンスペースを形成し、該オープンスペースを画成するベース後辺に沿いコンタクトピン植設部をベースと一体に設け、該コンタクトピン植設部には複数のコンタクトピンがＩＣカード挿入方向と直交する方向に並列するように植設されており、各コンタクトピンは上下に弾性変位可能な接触条片を有し（た）ＩＣカード用コネクタにおいて、上記コンタクトピン植設部から後方へ突出されてベースの後辺に沿い並置されつつ上記上下に開放せるオープンスペース内に並置される表面実装用端子を有し、上記ＩＣカードは上記両ガイドアームを案内として同カード前半部が上記ベース上に挿入されると同時に、同カード後半部が上記両ガイドアーム間のオープンスペース内に挿入され、上記各コンタクトピンの上記接点部は上記コンタクト植設部の前方においてＩＣカードの前半部下面に接触すると共に、上記各コンタクトピンの表面実装端子が上記オープンスペース内域において配線回路基板へ接続される構成としたＩＣカード用コネクタ」が記載されているということができる。
　そして、上記刊行物ａには、コンタクトが「コンタクトピン」であること、及び弾性変位可能な接触条片を有することについて明記されていないが、カードコネクタのコンタクトとして弾性変位可能な接触条片を有するコンタクトピンは本件出願前周知のものであるので刊行物ａに記載されたコンタクトを上記のようなものと規定することに格別の技術的意義は認められない。
　したがって、本件発明１の「ＩＣカード用コネクタ」と刊行物ａに記載された「エッジコネクタ」とは、実質的に以下の点で相違するものと認められる。
［相違点１］本件発明１の「ＩＣカード用コネクタ」は、ベースが「トッププレートにて覆われ」ており、更に「上記トッププレートを金属から成る導電プレートにて形成し、該導電プレートは上記オープンスペースを覆わずに上記ベースと接触条片とコンタクトピン変位スペースを覆うように被嵌し、上記接触条片の加圧接触力にて上記ＩＣカードの前半部を押し上げ同前半部上面を上記導電プレートで受け止める構成」としているのに対し、刊行物ａに記載された「エッジコネクタ」は、インシュレータ基部にスロットを形成し、該スロット内にコンタクト植設部を設けているもので、上記「トッププレート」に相当する部材を備えていない点。
「相違点２］本件発明１の「ＩＣカード用コネクタ」は、ベースのコンタクトピン植設部から前方に延びる接触条片の接点部を、電極パッドと加圧接触した時に、接触条片の弾力に抗して変位せしめるコンタクトピン変位スペースを、ベースの前方に設けられた規制壁とベース間にベース下方に開放せるように設けているのに対し、刊行物ａには、上記の「規制壁」及び「コンタクトピン変位スペース」に相当する部分についての記載も示唆もされていない点。
　そこで上記の相違点について検討する。
　相違点１について、上記の刊行物ｂ、ｅ及びｆには、上記相違点１に係る「トッププレート」に相当する部材については記載も示唆もされていない。
　上記刊行物ｃに記載された「カード用コネクタ」のカバーインシュレータ１０は、ベースインシュレータ２０に重ねられる点、及び挿入されたＩＣカードを（下方からではあるが）受け止める点で、上記の相違点１に係る「トッププレート」と共通するが、「インシュレータ」である以上、「導電プレート」とはなり得ず、また、本件発明１のオープンスペースに対応するベースインシュレータ２０の開口２１が、カバーインシュレータ１０の平面形状にほぼ対応する開口２１が形成されているので、該カバーインシュレータは、「オープンスペースを覆わずに」被嵌されるものとはなり得ない点で、上記の相違点１に係る「トッププレート」の構成を具備していない。
　上記刊行物ｄに記載されたカードコネクタの「カバー」は、本件発明１の「コンタクトピン変位スペース」と同様の機能が認められる空所と、オープンスペースとを有するベースに対し、上記オープンスペースを覆わずに、接片部材と上記空所を覆うように該ベースに被嵌される金属製のカバーである点で、上記相違点１に係る構成と共通しているが、刊行物ｄに記載されたカードコネクタは、ベースに対して開閉自在のカバーに、開状態の時にカードを装着し、閉状態でカードはベースとカバーの間に収納されるような形式のものであり、上記オープンスペースは本件発明１のもののようにＩＣカードを案内する一対のガイドアームにより画成されるものではなく、また、ＩＣカードの後半部がそこに位置するものでもないのであるから、刊行物ｄに記載されたカバーを刊行物ａに記載されたエッジコネクタにトッププレートとして適用することは、当業者と雖も容易に想到しうる事項ではなく、仮に、組み合わせたとしても本件発明１に至らないことは明らかである。
　そして、本件発明１は、上記相違点１に記載したような構成を具備することにより、金属板を可及的に薄肉化して所定の強度を得ることができ、ＩＣカード用コネクタ全体の薄形化を適切に達成できるという作用効果を奏するものと認められるので、他の相違点について検討するまでもなく、本件発明１は、上記刊行物ａ乃至ｆに記載された発明に基づいて当業者が容易に発明をすることができたものとすることはできない。
　
Ｂ）本件発明２乃至４について
　本件発明２乃至４は、何れも本件発明１にさらなる構成を付加して特定するものであるので、本件発明１について述べたと同じ理由により、上記刊行物ａ乃至ｆに記載された発明に基づいて当業者が容易に発明をすることができたものとすることはできない。
　
Ｃ）異議申立人の主張について
　異議申立人・坂本聡は、上記刊行物ａに記載されたスロットを形成するインシュレータ基部１０が一体的なトップ部とベース部を有するものとし、ベース部と別体のトップ部を設けることが本件出願前公知であることをもって、これを本件発明１のようにすることは容易である旨主張するが、刊行物ａに記載されたインシュレータ基部のトップ部を本件発明１の「トッププレート」に相当するものとしても、インシュレータである以上、金属から成る導電プレートとはなり得ないので上記異議申立人の主張は採用できない。
　また、異議申立人・池野耕司は、本件発明１の構成は、上記刊行物ｃ乃至ｅに記載された発明の構成を組み合わせたものに過ぎないと主張するが、ＩＣカードの装着形式の異なるもの同士を組み合わせること自体、当業者と雖も容易に想到しうる事項ではなく、仮に、組み合わせたとしても本件発明１に至らないことは明らかであるので、該異議申立人の主張も採用できない。
　
（５）むすび
　以上のとおりであるから、特許異議申立の理由及び証拠によっては、本件発明１乃至４についての特許を取り消すことはできない。
　また、他に本件発明１乃至４についての特許を取り消すべき理由を発見しない。
　よって、結論のとおり決定する。
【異議決定日】
平成１４年７月１０日（２００２．７．１０）
【訂正の要旨】
訂正の要旨
（１）訂正事項ａ
　【特許請求の範囲】の【請求項１】の、
「トッププレートにて覆われたベースの後辺の両端から後方へ向け互いに間隔を置いてＩＣカードの挿入を案内する一対のガイドアームを並行に延出し、該両ガイドアーム間に上下に開放せるオープンスペースを形成し、該オープンスペースを画成するベース後辺に沿いコンタクトピン植設部をベースと一体に設け、該コンタクトピン植設部には複数のコンタクトピンがＩＣカード挿入方向と直交する方向に並列するように植設されており、各コンタクトピンは上記コンタクトピン植設部から前方へ延びる上下に弾性変位可能な接触条片を有するＩＣカード用コネクタにおいて、上記コンタクトピン植設部から後方へ突出されてベースの後辺に沿い並置されつつ上記上下に開放せるオープンスペース内に並置される表面実装用端子を有し、上記ＩＣカードは上記両ガイドアームを案内として同カード前半部が上記ベース上に挿入されると同時に、同カード後半部が上記両ガイドアーム間のオープンスペース内に挿入され、上記各コンタクトピンの接触条片はＩＣカードの前半部下面に配された複数の電極パッドと加圧接触すると共に、上記各コンタクトピンの表面実装端子が上記オープンスペース内域において配線回路基板へ接続される構成であることを特徴とするＩＣカード用コネクタ。」を、
「トッププレートにて覆われたベースの後辺の両端から後方へ向け互いに間隔を置いてＩＣカードの挿入を案内する一対のガイドアームを並行に延出し、該両ガイドアーム間に上下に開放せるオープンスペースを形成し、該オープンスペースを画成するベース後辺に沿いコンタクトピン植設部をベースと一体に設け、該コンタクトピン植設部には複数のコンタクトピンがＩＣカード挿入方向と直交する方向に並列するように植設されており、各コンタクトピンは上記コンタクトピン植設部から前方へ延びる上下に弾性変位可能な接触条片を有
し、更に上記ベースの前方に設けられたＩＣカードの前辺と対向する前部規制壁と上記ベース間にベース下方へ開放せるコンタクトピン変位スペースを設け、上記接触条片の自由端に設けた接点部がＩＣカードの電極パッドと加圧接触した時に同接点部を上記接触条片の弾力に抗し上記ベース下方へ開放されたコンタクトピン変位スペース内へ変位せしめる
の上記接点部
上記コンタクトピン植設部の前方において
とし、更に上記トッププレートを金属から成る導電プレートにて形成し、該導電プレートは上記オープンスペースを覆わずに上記ベースと接触条片とコンタクトピン変位スペースを覆うように被嵌し、上記接触条片の加圧接触力にて上記ＩＣカードの前半部を押し上げ同前半部上面を上記導電プレートで受け止める構成とした
（２）訂正事項ｂ
　【特許請求の範囲】の【請求項４】及び【請求項５】を削除する。
（３）訂正事項ｃ
　【特許請求の範囲】の【請求項６】の、
「上記接触条片の長手に亘り両端を閉鎖端としたスリットを形成し、該スリットの一端を含む位置に接触条片の弾性変位支点を設定したことを特徴とする請求項１又は２又は３又は４又は５記載のＩＣカード用コネクタ。」を、
「上記接触条片の長手に亘り両端を閉鎖端としたスリットを形成し、該スリットの一端を含む位置に接触条片の弾性変位支点を設定したことを特徴とする請求項１又は２又は
３記
（４）訂正事項ｄ
　明細書の段落【０００６】【課題を解決するための手段】に記載の、
「このＩＣカード用コネクタは小形の略方形のベースを有し、該ベースの後辺の両端から後方へ向け互いに間隔を置いて並行に延出したＩＣカードの挿入を案内する一対のガイドアームを有し、該両ガイドアーム間に上下に開放せるオープンスペースを形成している。」を、
「このＩＣカード用コネクタは
トッププレートにて覆われた
（５）訂正事項ｅ
　明細書の段落【００１３】に記載の、
「又上記隔壁の前端面に隣接してコンタクトピン変位スペースを形成し、上記接点部がＩＣカードの電極パッドと加圧接触した時に、上記接点部が接触条片の弾力に抗し上記コンタクトピン変位スペース内へ下方変位できるようにして、接点部の変位量を確保する。」を、
「又上記隔壁の前端面に隣接してコンタクトピン変位スペースを形成し、
即ち上記ベースの前方に設けられたＩＣカードの前辺と対向する前部規制壁と上記ベース間にコンタクトピン変位スペースを設け、
（６）訂正事項ｆ
　明細書の段落【００１４】に記載の、
「又上記コンタクトピン変位スペースはベース下方へ開放し、上記接点部は核開放部内へ変位可能にする。これにより、コネクタの薄形化を達成しつつ、接点部の下方変位量を確保する。」を、
「又上記コンタクトピン変位スペースはベース下方へ開放し、上記接点部は該開放部内へ変位可能にする。
他方上記トッププレートを金属から成る導電プレートにて形成し、該導電プレートは上記オープンスペースを覆わずに上記ベースと接触条片とコンタクトピン変位スペースを覆うように被嵌し、上記接触条片の加圧接触力にて上記ＩＣカードの前半部を押し上げ同前半部上面を上記導電プレートで受け止める構成とする。
（５４）【発明の名称】
ＩＣカード用コネクタ
（５７）【特許請求の範囲】
　【請求項１】トッププレートにて覆われたベースの後辺の両端から後方へ向け互いに間隔を置いてＩＣカードの挿入を案内する一対のガイドアームを並行に延出し、該両ガイドアーム間に上下に開放せるオープンスペースを形成し、該オープンスペースを画成するベース後辺に沿いコンタクトピン植設部をベースと一体に設け、該コンタクトピン植設部には複数のコンタクトピンがＩＣカード挿入方向と直交する方向に並列するように植設されており、各コンタクトピンは上記コンタクトピン植設部から前方へ延びる上下に弾性変位可能な接触条片を有し、更に上記ベースの前方に設けられたＩＣカードの前辺と対向する前部規制壁と上記ベース間にベース下方へ開放せるコンタクトピン変位スペースを設け、上記接触条片の自由端に設けた接点部がＩＣカードの電極パッドと加圧接触した時に同接点部を上記接触条片の弾力に抗し上記ベース下方へ開放されたコンタクトピン変位スペース内へ変位せしめるＩＣカード用コネクタにおいて、上記コンタクトピン植設部から後方へ突出されてベースの後辺に沿い並置されつつ上記上下に開放せるオープンスペース内に並置される表面実装用端子を有し、上記ＩＣカードは上記両ガイドアームを案内として同カード前半部が上記ベース上に挿入されると同時に、同カード後半部が上記両ガイドアーム間のオープンスペース内に挿入され、上記各コンタクトピンの接触条片の上記接点部は上記コンタクトピン植設部の前方においてＩＣカードの前半部下面に配された複数の電極パッドと加圧接触すると共に、上記各コンタクトピンの表面実装端子が上記オープンスペース内域において配線回路基板へ接続される構成とし、更に上記トッププレートを金属から成る導電プレートにて形成し、該導電プレートは上記オープンスペースを覆わずに上記ベースと接触条片とコンタクトピン変位スペースを覆うように被嵌し、上記接触条片の加圧接触力にて上記ＩＣカードの前半部を押し上げ同前半部上面を上記導電プレートで受け止める構成としたことを特徴とするＩＣカード用コネクタ。
　【請求項２】上記コンタクトピン植設部の前端に各コンタクトピンの接触条片間を隔絶する隔壁をベースと一体に連設し、上記コンタクトピン植設部又は／及び隔壁の上面にてＩＣカードの挿入を案内するランド面を形成していることを特徴とする請求項１記載のＩＣカード用コネクタ。
　【請求項３】上記コンタクトピンの接触条片の自由端（前端）が上記隔壁の前端面より前方へ突出し且つ隔壁上面より上方へ突出し、該突出部にてＩＣカードの電極パッドとの接触に供される接点部を形成していることを特徴とする請求項２記載のＩＣカード用コネクタ。
　【請求項４】上記接触条片の長手に亘り両端を閉鎖端としたスリットを形成し、該スリットの一端を含む位置に接触条片の弾性変位支点を設定したことを特徴とする請求項１又は２又は３記載のＩＣカード用コネクタ。
【発明の詳細な説明】
　【０００１】
　【発明の属する技術分野】
　本発明は電子機器内に挿入されるＩＣカードと電子機器内配線回路基板との接続媒体となるＩＣカード用コネクタに関する。
　【０００２】
　【従来の技術】
　ＵＳＰ５３３４０３４号、同５３３４８２７号は電話用カードやクレッジト用カードと同様の大きさを有する名刺大のＩＣカード適用されるコネクタとして開発されており、携帯電話やカメラ等の小形の電子機器には適用困難な仕様を有している。
　【０００３】
　これら携帯電話等の小形の電子機器に適用されるＩＣカードは上記クレッジトカード等の略２分の１程度の大きさしか有しておらず、しかも配線回路基板とＩＣカード用コネクタとは小形電子機器内の極めて限定されたスペース内に重畳して設置することが求められる。
　【０００４】
　前記従来例は何れもこの条件を満たすことが困難である。
　【０００５】
　【発明が解決しようとする課題】
　本発明は上記小形電子機器の限定されたスペース内にＩＣカード用コネクタと配線回路基板とをコンパクトに挿入し両者間の接続、並びに配線回路基板上へのＩＣ等の搭載スペースも有効に確保し得るように構成されたＩＣカード用コネクタを提供するものである。
　【０００６】
　【課題を解決するための手段】
　このＩＣカード用コネクタはトッププレートにて覆われた小形の略方形のベースを有し、該ベースの後辺の両端から後方へ向け互いに間隔を置いて並行に延出したＩＣカードの挿入を案内する一対のガイドアームを有し、該両ガイドアーム間に上下に開放せるオープンスペースを形成している。
　【０００７】
　このオープンスペースを画成するベース後辺に沿いコンタクトピン植設部をベースと一体に設け、該コンタクト植設部に複数のコンタクトピンをＩＣカード挿入方向と直交する方向に並列するように植設する。
　【０００８】
　各コンタクトピンは、上記コンタクト植設部から前方へ延びる上下に弾性変位可能な接触条片を有すると共に、同コンタクト植設部から後方へ突出されて上記オープンスペース内に並置される表面実装用端子を有する。
　【０００９】
　上記ＩＣカードは上記両ガイドアームを案内として同カード前半部が上記ベース上に挿入されると同時に、同カード後半部が上記両ガイドアーム間のオープンスペース内に挿入される。そして上記各コンタクトピンの接触条片は上記ベース上に挿入されたＩＣカードの前半部下面に押圧されて下方へ弾性変位し、その反力でＩＣカードの前半部下面に配された複数の電極パッドと加圧接触し、更に上記各コンタクトピンの表面実装端子が上記オープンスペース内域において配線回路基板へ接続される構成である。
　【００１０】
　上記ＩＣカード用コネクタは上記構成によって同コネクタの小形化を達成し、小形電子機器内の限定されたスペース内にコネクタと配線回路基板とを重畳して搭載する条件を満たしつつ、コンタクトピンと配線回路基板の接続を適正に行なうことができると共に、配線回路基板上へのＩＣ等の電子部品の実装スペースも有効に確保できる。
　【００１１】
　上記コンタクトピン植設部の前端には各コンタクトピンの接触条片間を隔絶する隔壁をベースと一体に連設し、上記コンタクトピン植設部又は／及び隔壁の上面にてＩＣカードの挿入を案内するランド面を形成する。
　【００１２】
　即ちコンタクトピン植設部又は／及び隔壁の上面はＩＣカードの挿入ガイド面を兼用する。好ましくは上記各コンタクトピンの接触条片の自由端（前端）は上記隔壁の前端面より前方へ突出し且つ隔壁上面より上方へ突出し、該突出部にてＩＣカードの電極パッドとの接触に供される接点部を形成する。
　【００１３】
　又上記隔壁の前端面に隣接してコンタクトピン変位スペースを形成し、即ち上記ベースの前方に設けられたＩＣカードの前辺と対向する前部規制壁と上記ベース間にコンタクトピン変位スペースを設け、上記接点部がＩＣカードの電極パッドと加圧接触した時に、上記接点部が接触条片の弾力に抗し上記コンタクトピン変位スペース内へ下方変位できるようにして、接点部の変位量を確保する。
　【００１４】
　又上記コンタクトピン変位スペースはベース下方へ開放し、上記接点部は該開放部内へ変位可能にする。他方上記トッププレートを金属から成る導電プレートにて形成し、該導電プレートは上記オープンスペースを覆わずに上記ベースと接触条片とコンタクトピン変位スペースを覆うように被嵌し、上記接触条片の加圧接触力にて上記ＩＣカードの前半部を押し上げ同前半部上面を上記導電プレートで受け止める構成とする。これにより、コネクタの薄形化を達成しつつ、接点部の下方変位量を確保する。
　【００１５】
　又上記コンタクトの接触条片にはその長手に亘り両端を閉鎖端としたスリットを形成し、該スリットの一端を含む位置に接触条片の弾性変位支点を設定した。
　上記により接触条片のバネ長を短くし且板厚を薄くしてもバネが変位した時の応力が低く適切な接触力を得る設計が可能となり、又座屈変形のし難いコンタクトを形成できる。又これにより接触条片を短くできるから、ベースの小形化に寄与できる。
　【００１６】
　上記ＩＣカードの「前半部」と「後半部」の用語は２分の１だけを意味するものではなく、ＩＣカードの全長を任意の位置で二分した場合の各部分を意味する。
　【００１７】
　【発明の実施の形態】
　コネクタ本体は絶縁材にて一体形成した略方形のベース１と一対のガイドアーム２とを有する。
　【００１８】
　上記ベース１の後辺の両端から上記一対のガイドアーム２を並行に延出し、該両ガイドアーム間に上下に開放し、且つ前方に開放されたオープンスペース４を形成する。ＩＣカード３は両ガイドアーム２の後方開放端（両アームの自由端）から挿入される。
　【００１９】
　上記オープンスペース４を画成するベース１の後辺に沿いコンタクトピン植設部６を合成樹脂にてベース１と一体成形し、該植設部６に複数のコンタクトピン５を植設してＩＣカード挿入方向と直交する方向に並列するように配置する。
　【００２０】
　上記各コンタクトピン５は上記植設部６から前方へ延びる細長い接触条片７を有する。
　【００２１】
　この接触条片７は上記接触部付近から前方へ向け上り傾斜となるように、即ち前上りとなるように傾斜しており、その前端（自由端）に上向きに突成した接点部８を有する。この接点部８はＩＣカード３の電極パッド９との接触に供される。
　【００２２】
　又上記各コンタクトピン５は上記植設部６から後方へ僅かに突出されて上記オープンスペース４内に並置される、換言するとベース１の後辺に沿って並置される短小片から成る表面実装端子１０を有する。この表面実装端子１０はコンタクトピン５を上記オープンスペース４内において配線回路基板１１に接続する手段である。
　【００２３】
　上記配線回路基板１１とＩＣカード用コネクタとは電子機器内に重畳して設置され、配線回路基板１１は上記オープンスペース４の下面を閉鎖するように広がる。このオープンスペース４内に広がる配線回路基板上の電極パッドと上記表面実装端子１０とをハンダ等を介して接続するのである。
　【００２４】
　ＩＣカード３は既述の通り、上記両ガイドアーム２に案内されて同カード前半部が上記ベース１上に挿入されると同時に、同カード後半部が上記両ガイドアーム２間のオープンスペース４内に挿入され、該オープンスペース４内に広がる配線回路基板１１と対向し、両者２と１１間に間隔１２を形成し、配線回路基板１１上に搭載した電子部品の一部はこの間隔１２内に配置し得る。
　【００２５】
　即ち、配線回路基板１１上に搭載されるＩＣ等の電子部品の全部又は一部は上記オープンスペース４の内域に配置し得る。従ってこれら電子部品はＩＣカード３によって隠閉される。
　【００２６】
　上記各コンタクトピン５の接触条片７は上記ベース１上に挿入されたＩＣカード３の前半部下面に押圧されて下方へ弾性変位し、その反力でＩＣカード３の前半部下面に配された複数の電極パッド９と加圧接触される。よってコンタクトピン５を介してＩＣカード３と配線回路基板１１とが電気的に接続される。
　【００２７】
　上記コンタクトピン植設部６の前端に各コンタクトピン５の接触条片７間を隔絶する隔壁１３を合成樹脂にて一体成形する。従ってベース１上の後部にコンタクト植設部６を同前部に隔壁１３を一体に連設する。
　【００２８】
　上記コンタクトピン植設部６及び隔壁１３の上面にてＩＣカード３の挿入を案内するランド面を形成する。
　【００２９】
　上記隔壁１３を設けない場合には、上記コンタクトピン植設部６の上面にて上記ランド面を形成する。
　【００３０】
　図３乃至図５は上記隔壁１３を設けたＩＣカード用コネクタを示し、図６乃至図８は上記隔壁１３を設けないＩＣカード用コネクタを示しており、図１、図２は上記各例に共通なＩＣカード用コネクタを示している。
　【００３１】
　上記各例におけるガイドアーム２は図５、図８に示すように、ＩＣカード挿入方向と直交する方向の断面形状において、ＩＣカード３の左右端縁の下面を案内するボトムガイド定規１４と同左右端面を案内するサイドガイド定規１５とを有する。従ってボトムガイド定規１４とサイドガイド定規１５とは断面視Ｌ形に形成される。
　【００３２】
　上記各例におけるサイドガイド定規１５は図４等に示すように、ベース１の左右端縁に沿い直線的に延びる。従ってサイドガイド定規１５の前半部はベース１の左右両端縁から上方へ立上がるようにベース１と一体成形されている。
　【００３３】
　上記ボトムガイド定規１４の上面と、上記コンタクトピン植設部６の上面と、隔壁１３の上面とは同一平面にしてＩＣカード３の挿入を案内するランド面を形成する。
　【００３４】
　隔壁１３を設けない場合にはコンタクトピン植設部６の上面がＩＣカード３の挿入を案内するランド面を形成する。
　【００３５】
　上記コンンタクトピン５を形成する接触条片７の自由端（前端）は上記ボトムガイド定規１４の上面より突出する。従ってこのボトムガイド定規１４の上面と同一平面に存するコンタクトピン植設部６の上面と隔壁１３の上面より上方へ突出する。
　【００３６】
　詳述すると、上記隔壁１３を設けた場合には、上記接触条片７の自由端（前端）が、上記隔壁１３の前端面より前方へ突出すると同時に、コンタクトピン植設部６及び隔壁１３の上面並びにボトムガイド定規１４の上面より上方へ突出し、該突出部にてＩＣカード３の前半部下面に配された電極パッド９との加圧接触に供される前記接触部８を形成する。
　【００３７】
　又隔壁１３を設けない場合には、上記接触条片７の自由端（前端）が、上記コンタクトピン植設部６の前端面より前方へ突出すると同時に、コンタクト植設部６の上面及びボトムガイド定規１４の上面より上方へ突出し、該突出部にてＩＣカード３の前半部下面に配された電極パッド９との加圧接触に供される接点部８を形成する。
　【００３８】
　上記隔壁１３の前端面に隣接して上記コンタクトピン５の接点部８の変位スペース１６を形成する。ベース１の前方には該ベース１及びガイドアーム２と合成樹脂にて一体形成されたＩＣカード３の前辺と対向する前部規制壁１７が設けられており、この前部規制壁１７とベース１間に上記コンタクトピン変位スペース１６を形成している。
　【００３９】
　上記前部規制壁１７にはベース１に隔壁１３を設ける場合と、設けない場合の各例において、ＩＣカード前縁の下面を案内するボトムガイド定規１８とＩＣカード前端面を衝接する定規１９とを設けることができる。従ってボトムガイド定規１８と前当て定規１９とはＩＣカード挿入方向の断面形状においてＬ形に一体形成されている。
　【００４０】
　上記ボトムガイド定規１８の上面とボトムガイド定規１４の上面とコンタクトピン植設部６の上面と、隔壁１３の上面とは同一平面内に存する。
　【００４１】
　上記コンタクトピン５の接触条片７の自由端に形成した接点部８はＩＣカード３の電極パッド９と加圧接触した時に、上記接触条片７の弾力に抗し、該接触条片７と一緒に上記コンタクトピン変位スペース１６内へ弾性変位する。好ましくは上記コンタクトピン変位スペース１６をベース下方へ開放する。２０は該コンタクトピン変位スペース１６の下部開放部を示す。
　【００４２】
　上記接点部８はこの下部開放部２０内へ変位可能であり、これによりＩＣカード用コネクタの薄形化を図りつつ、接点部８の変位量を充分に確保する。
　【００４３】
　上記コンタクトピン５の接触条片７は、その長手に亘り開放したスリット２１を有する。このスリット２１は両端が閉鎖端とされ、該スリット２１の一端を含む部位に接触条片７及び接点部８の弾性変位支点２２を形成する。
　【００４４】
　再述すると、上記スリット２１の一端はコンタクトピン植設部６付近に達し、他端は接点部８付近、又は接点部８を超える位置に達する。従って接点部８はスリット２１によって分離された二点接触構造である。
　【００４５】
　本発明は上記スリット２１を設ける場合と、設けない場合とを含むが、上記スリット２１を設けた場合には、接触条片７のバネ長をできるだけ短くし且つ板厚を薄くでき、そのようにしても接触条片７の応力が低く適切な接触力が得られ、加えて座屈変形のし憎いコンタクトピンの設計が可能であり、これによりコンタクトピン５の短小化、ＩＣカード用コネクタの小形化が有利に達成できる。
　【００４６】
　上記スリット２１の一端はコンタクトピン植設部６の前端面に近接した位置まで達し、このスリット２１の一端が存在する部位をベース１の上面に支持し、上記支点２２を形成する。
　【００４７】
　隔壁１３を設けた場合には上記支点２２は隔壁１３間の底壁（ベース）に支持される。
　【００４８】
　上記ベース１の上方に対向してトッププレート２３を被嵌する。好ましくは上記トッププレート２３を金属から成る導電プレートにて形成する。
　【００４９】
　上記トッププレート２３はオープンスペース４を覆わずに、ベース１及びコンタクトピン変位スペース１６を覆い、カード前半部の電極パッド９と接点部８を有する接触条片７を覆う。上記トッププレート２３の後縁部はオープンスペース４内において上方へ反り曲げ、カード挿入ガイド部２４を形成する。
　【００５０】
　上記トッププレート２３をコネクタ本体に組付ける手段として、上記トッププレート２３の前端に上記前当て定規１９の外側面に被嵌される前部側板２５とサイドガイド定規１５の前半部外側面に被嵌される左右側板２６を一体に連設し、これら側板２５、２６に開設した係合孔２７を定規１９、１５に突設した爪２８にパッチン係合する。
　【００５１】
　斯くしてトッププレート２３はサイドガイド定規１５と前当て定規１９の上面に座着されると共に、これら１５、１９に固装され、ベース１とコンタクトピン変位スペース１６とトッププレート２３間にＩＣカード３の前半部を受け入れるカード挿入室２９を形成する。
　【００５２】
　上記トッププレート２３は、ＩＣカード３の前半部上面を規制し、コンタクトピン５の接触条片７の反力にて押上げられるＩＣカード３の上面を受け止めてそれ以上の浮上りを阻止し、接点部８と電極パッド９との加圧接触を維持する。
　【００５３】
　【発明の効果】
　本発明によればＩＣカード用コネクタのＩＣカード挿入方向の長さを縮小でき、縮小してもＩＣカードの挿入及び挿入に伴なうコンタクトピンとの加圧接触が適正に得られる。
　【００５４】
　上記ＩＣカード用コネクタは上記構成によって同コネクタの小形化を達成し、小形電子機器内の限定されたスペース内にコネクタと配線回路基板とを重畳して搭載する条件を満たしつつ、コンタクトピンと配線回路基板の接続を適正に行なうことができると共に、配線回路基板上へのＩＣ等の電子部品の実装スペースも有効に確保できる等の作用効果が期待できる。
【図面の簡単な説明】
　【図１】
　ＩＣカードとＩＣカード用コネクタの平面図。
　【図２】
　上記ＩＣカードをＩＣカード用コネクタに挿入した状態を示す平面図。
　【図３】
　上記ＩＣカード用コネクタの第１例をトッププレートが無い状態で示す平面図。
　【図４】
　ＡはＩＣカード挿入前の状態、ＢはＩＣカード挿入後の状態を夫々示すＩＣカード用コネクタの縦断面図。
　【図５】
　Ａは図３におけるＡ−Ａ線断面図、Ｂは同Ｂ−Ｂ線断面図、Ｃは同Ｃ−Ｃ線断面図。
　【図６】
　上記ＩＣカード用コネクタの第２例をトッププレートが無い状態で示す平面図。
　【図７】
　Ａは上記ＩＣカードの挿入前の状態、ＢはＩＣカード挿入後の状態を夫々示すＩＣカード用コネクタの縦断面図。
　【図８】
　Ａは図６におけるＡ′−Ａ′線断面図、Ｂは同Ｂ′−Ｂ′線断面図、Ｃは同Ｃ′−Ｃ′線断面図。
　【符号の説明】
　１　　　ベース
　２　　　ガイドアーム
　３　　　ＩＣカード
　４　　　オープンスペース
　５　　　コンタクトピン
　６　　　コンタクトピン植設部
　７　　　弾性条片
　８　　　接点部
　９　　　電極パッド
　１０　　表面実装端子
　１１　　配線回路基板
　１３　　隔壁
　１６　　コンタクトピン変位スペース
　２０　　開放部
　２１　　スリット
　２２　　支点
　２３　　トッププレート